(57)【要約】【課題】空気調和機から取り込んだ運転状態データを分析して、異常を判断したり、保守点検を行ったりする監視するためだけに設けられており、空気調和機に掛かる電気代の情報を管理者等が得ることができなかった。【解決手段】前記従来の課題を解決するために、本発明の空気調和機の遠隔制御システムは、複数の室内機８ａ，８ｂの運転累積時間と、室外機５の電流値とから電力量を算出し、電気代設定手段２で設定された電気代に到達すると、室内機と室外機の制御部７，９にサーモオフデータを送信するので、空気調和機の遠隔制御を行うビル管理者が、空調システムでの電気代を設定することができる。【選択図】図１
2011117660.tif 000002
【特許請求の範囲】
【請求項１】
複数の室内機と室外機を遠隔で制御する遠隔制御装置と、システムの電気代を管理し電気代を設定することができる電気代設定手段と、室外機の電流を検出する電流検出手段と、室内機及び室外機と通信信号を送受信する制御部と、前記遠隔制御装置と室内機と室外機とを接続する通信線とを備え、複数の室内機の運転累積時間と、室外機の電流検出手段で検出した電流から電力量を算出し、前記電気代設定手段で設定された電気代に到達すると、室内機と室外機の制御部にサーモオフデータを送信することを特徴とする空気調和機の遠隔制御システム。
【請求項２】
空気調和機の遠隔制御装置に、個別電気代設定手段を備えたことを特徴とする請求項１に記載の空気調和機の遠隔制御システム。
【発明の詳細な説明】
【技術分野】
【０００１】
本発明は、空気調和機の電気代設定をする遠隔制御システムに関するものである。
【背景技術】
【０００２】
従来の空気調和機の管理システムは、空気調和機の運転停止、運転モード、風量、温度等の設定データと運転状態データを取り込んで空気調和機の監視を行うものであった（例えば、特許文献１参照）。
【０００３】
図３は特許文献１に記載された従来の設置状態を示すものである。図３に示すように、監視装置（パソコン）１００、データベース１１０、状態データベース１１１、設定データベース１１２、エンジン１２０、デバイスドライバ１３０、アプリケーション１４０、１４１、１４２、１４３、変換装置２００、伝送ソフト２０１、コンバータ２０２、ＰＡＣ用伝送ソフト２０３、空気調和機３００、室外機３０１、室内機３０２とから構成されている。
【先行技術文献】
【特許文献】
【０００４】
【特許文献１】特開２００２−１５６１４３号公報
【発明の概要】
【発明が解決しようとする課題】
【０００５】
しかしながら、前記従来の構成では、空気調和機から取り込んだ運転状態データを分析して、異常を判断したり、保守点検を行ったりする監視するためだけに設けられており、空気調和機に掛かる電気代を管理者等が設定できないという課題を有していた。
【０００６】
本発明は、前記従来の課題を解決するもので、複数の室内機と室外機のシステムで遠隔から制御する場合、遠隔から空気調和機を管理するビル管理者が、遠隔より電気代を設定することができ、電気代を設定することができる空気調和機の遠隔制御システムを提供することを目的とする。
【課題を解決するための手段】
【０００７】
前記従来の課題を解決するために、本発明の空気調和機の遠隔制御システムは、複数の室内機の運転累積時間と、室外機の電流値とから電力量を算出し、電気代設定手段で設定された電気代に到達すると、室内機と室外機の制御部にサーモオフデータを送信する。これによって、空気調和機の遠隔制御を行うビル管理者が、空調システムでの電気代を設定することができる。
【発明の効果】
【０００８】
本発明の空気調和機の遠隔制御システムは、複数の室内機と室外機のシステムで遠隔制御する場合、遠隔から空気調和機を管理するビル管理者が、遠隔制御装置から電気代を設定することができるので、ビル全体の空調システムの電気代を管理することができる。
【図面の簡単な説明】
【０００９】
【図１】本発明の実施の形態１における空気調和機の構成ブロック図
【図２】本発明の実施の形態２における空気調和機の構成ブロック図
【図３】従来の空気調和機の管理システムにおけるブロック図
【発明を実施するための形態】
【００１０】
第１の発明は、複数の室内機と室外機を遠隔で制御する遠隔制御装置と、システムの電気代を管理し、電気代を設定することができる電気代設定手段と、室外機の電流を検出する電流検出手段と、室内機及び室外機と通信信号を送受信する制御部と、前記遠隔制御装置と室内機と室外機とを接続する通信線とから構成される空気調和機の遠隔制御システムとすることにより
、遠隔から空気調和機を管理するビル管理者が、遠隔制御装置から電気代を設定することにより、ビル全体の空調システムの電気代を管理することができる。
【００１１】
第２の発明は、特に第１の発明の遠隔制御システムの遠隔制御装置に、個別電気代設定手段を備えたことにより、室内機個別での電気代を設定することができる。
【００１２】
（実施の形態１）
図１は、本発明の実施の形態１における空気調和機の遠隔制御システムの構成ブロック図である。同図の空気調和機の遠隔制御装置のシステムにおいて、複数の室内機と室外機を遠隔で制御する遠隔制御装置と、電気代を設定する電気代設定手段と、複数の室内機の運転累積時間データと、室外機の電流値データを受信し、電力量に算出し、電気代に換算する前記遠隔制御装置内の制御部と、室外機の電流値を認識する電流検出手段と、前記電流検出手段で検出された電流値データを前記遠隔制御装置に送信する室外機内に設けられた制御部と、室内機の運転時間データを前記遠隔制御装置に送信する室内機内に設けられた制御部と、前記遠隔制御装置と室内機と室外機とを接続する通信線とから構成されている。
【００１３】
以上のように構成された空気調和機の遠隔制御システムついて、以下その動作、作用を説明する。
【００１４】
まず、遠隔制御装置１内の電気代設定手段２より電気代を設定されると、遠隔制御装置１内の制御部３が電気代を設定されたことを認識すると、定期的に通信線４を介して送信されている空調システムの室内機８ａ、室内機８ｂの制御部９から送信される運転時間データと、室外機５の電流検出手段６から電流値を検出し、制御部７から送信される電流値データを受信すると、電気代に換算し、設定された電気代になると遠隔制御装置１の制御部３が空調システムの全機器にサーモオフデータを送信する。
【００１５】
以上のように、空調システムの室内機８ａ、室内機８ｂの運転累積時間と、室外機５の電流値から遠隔制御装置１内の制御部３が電力量を算出し、電気代に換算し、設定された電気代に到達するとサーモオフデータを送信するので、空調システムの電気代を遠隔制御装置１から設定することを特徴とする空気調和機の遠隔制御システム。
【００１６】
（実施の形態２）
図２は、本発明の第２の実施の形態の空気調和機の遠隔制御システムの構成ブロック図である。本発明の第１の実施の形態で示した空気調和機の遠隔制御システムの遠隔制御装置１に、個別電気代設定手段１１を構成した空気調和機の遠隔制御システムである。
【００１７】
以上のように構成された空気調和機の遠隔制御システムについて、以下その動作、作用を説明する。
【００１８】
まず、遠隔制御装置１内の個別電気代設定手段１１で空調システム内の電気代を管理したい室内機を設定し、電気代設定手段２より電気代を設定されると、遠隔制御装置１内の制御部３が個別に電気代を設定されたことを認識すると、定期的に通信線４を介して送信されている空調システム内の個別設定された室内機の制御部９から送信される運転時間デ
ータと、室外機５の電流検出手段６から電流値を検出し、制御部７から送信される電流値データを受信すると、電気代に換算し、設定された電気代になると遠隔制御装置１の制御部３が空調システムの個別に設定された室内機にサーモオフデータを送信する。
【００１９】
以上のように個別電気代設定手段１１を備えたことにより、個別電気代設定手段１１の入力により、空調システム内の室内機を個別でサーモオフにすることができるので、管理者が電気代を管理しておきたい室内機を個別で管理することができる。
【産業上の利用可能性】
【００２０】
以上のように、本発明は、複数の室内機と室外機のシステムで遠隔から制御する場合、遠隔から空気調和機を管理するビル管理者が、遠隔から電気代を設定することができるので、遠隔制御機器を用いたマルチ型エアコンのシステムに適する。
【符号の説明】
【００２１】
１  遠隔制御装置
２  電気代設定手段
３  制御部
４  通信線
５  室外機
６  電流検出手段
７  制御部
８ａ  室内機
８ｂ  室内機
９  制御部
１０  リモコン
１１  個別電気代設定手段
１００  監視装置（パソコン）
１１０  データベース
１１１  状態データベース
１１２  設定データベース
１２０  エンジン
１３０  デバイスドライバ
１４０  アプリケーション
１４１  アプリケーション
１４２  アプリケーション
１４３  アプリケーション
２００  変換装置
２０１  伝送ソフト
２０２  コンバータ
２０３  ＰＡＣ用伝送ソフト
３００  空気調和機
３０１  室外機
３０２  室内機
【図１】
2011117660.tif 000003
【図２】
2011117660.tif 000004
【図３】
2011117660.tif 000005